(57)【要約】【課題】  可撓性を有する情報表示装置が撓められた際、圧力を受けた部分の表示特性が変化し、表示品質が劣化する。【解決手段】  撓み検出手段を備えた構成とし、表示手段が受ける圧力を検出し再描画を行うことで、表示品質の劣化を排除し、撓めた際にも明瞭な表示を可能とする。【選択図】  図３
2005284061.tif 000002
【特許請求の範囲】
【請求項１】
情報を表示するための可撓性を有する表示手段と、前記表示手段の撓みを検出する撓み検出手段とを備えた情報表示装置であって、
前記撓み検出手段により撓みが検出された際に前記表示手段の表示内容を再描画することを特徴とする情報表示装置。
【請求項２】
前記表示手段を保持するための可撓性を有する筐体をさらに備えた情報表示装置であって、
前記撓み検出手段は、前記筐体の撓みを検出することで前記表示体の撓みを検出できるように構成されていることを特徴とする請求項１に記載の情報表示装置。
【請求項３】
前記撓み検出手段から検出される撓みの大きさが所定値を越えた時に再描画することを特徴とする請求項１または２に記載の情報表示装置。
【請求項４】
前記撓み検出手段は、前記表示手段の撓みを領域別に検出できるように構成され、
前記撓み検出手段から検出される撓み信号によって、再描画を行う領域を決定することを特徴とする請求項１ないし３に記載の情報表示装置。
【請求項５】
前記撓み検出手段は、前記表示手段の撓みを領域別に検出できるように構成され、
前記撓み検出手段から検出される撓み信号の領域的若しくは時間的パターンによって、使用者の操作を判断する操作判断手段をさらに備え、
前記判断手段の判断出力に応じて再描画を行うことを特徴とする請求項１ないし４に記載の情報表示装置。
【発明の詳細な説明】
【技術分野】
【０００１】
本発明は、所定の情報を表示体に表示させる情報表示装置に係るものであり、特に、表示体部分に可撓性を有する情報表示装置に関する。
【背景技術】
【０００２】
電子情報を表示する情報表示装置としては、様々な形態のものが提案されている。この種の装置に利用される表示体の進歩も目覚しく、最近では、紙や樹脂薄板のように撓ませることのできる可撓性の表示体が開発されつつある。可撓性を有する表示体は壊れにくく、紙のようで馴染易いと言う利点を有している。さらには、このような可撓性をユーザ操作に活用した情報表示装置も提案されている。
【０００３】
【特許文献１】特開２００３−１５７９５号公報
【発明の開示】
【発明が解決しようとする課題】
【０００４】
しかしながら、上述した従来の情報表示装置では、表示手段が撓められた際、圧力を受けた部分の表示特性が変化し、表示品質が劣化するという問題があった。
【０００５】
本発明の目的は、このような従来の課題を解決し、撓みにより発生していた表示品質の劣化を排除し、撓めた際にも明瞭な表示が可能な、情報表示装置を提供することにある。
【課題を解決するための手段】
【０００６】
上述した課題を解決するために、本発明の一態様に係る情報表示装置によれば、情報を表示するための可撓性を有する表示手段と、前記表示手段の撓みを検出する撓み検出手段と、を備えた情報表示装置であって、前記撓み検出手段により撓みが検出された際に、前記表示手段の表示内容を再描画することを特徴とする。
【０００７】
これにより、表示品質の劣化を検出し再描画を行うことが可能となり、表示品質の劣化を排除することができる。
【０００８】
また、本発明の一態様に係る情報表示装置によれば、加えて、前記表示手段を保持するための可撓性を有する筐体をさらに備えた情報表示装置であって、前記撓み検出手段は前記筐体の撓みを検出することで前記表示体の撓みを検出できるように構成されていることを特徴とする。
【０００９】
これにより、前記撓み検出手段を前記表示手段に直接取り付けない構成が可能となり、前記撓み検出手段が配置される位置に制約を設けることなく表示品質の劣化を排除することができる。
【００１０】
さらに、本発明の一態様に係る情報表示装置では、前記撓み検出手段から検出される撓みの大きさが、所定の基準値を越えた際に再描画することを特徴とする。
【００１１】
これにより、撓み量が小さい場合における不必要な再描画を排除することが可能となり、不必要な再描画に要する電力などを削減することができる。
【００１２】
さらに、本発明の一態様に係る情報表示装置では、前記撓み検出手段は、前記表示手段の撓みを領域別に検出できるように構成され、前記撓み検出手段から検出される撓み信号によって、再描画を行う領域を決定することを特徴とする。
【００１３】
これにより、表示品質が劣化した領域のみを再描画することが可能となり、再描画に要する電力などを削減することができる。
【００１４】
さらに、本発明の一態様に係る情報表示装置では、前記撓み検出手段は、前記表示手段の撓みを領域別に検出できるように構成され、前記撓み検出手段から検出される撓み信号の領域的若しくは時間的パターンによって、使用者の操作を判断する操作判断手段をさらに備え、前記判断手段の判断出力に応じて、再描画を行うことを特徴とする。
【００１５】
これにより、再描画が必要である場合のみ再描画を行うことが可能となり、不必要な再描画に要する電力などを削減することができる。
【発明を実施するための最良の形態】
【００１６】
以下、本発明の実施形態に係る情報表示装置について図面を参照しながら説明する。
【００１７】
図１は、本発明の第１の実施形態に係る情報表示装置１を示す外観（Ａ）及び断面（Ｂ）の模式図であり、情報表示装置１は、可撓性を有する筐体１０で外装されると共に、外部から視認可能な表示手段１１を筐体１０内に備えており、表示手段１１は筐体１０と同程度の可撓性を有している。また筐体１０の内側には、筐体１０の撓みを検出する撓み検出手段１２が装着されている。さらに、電源スイッチ１３が筐体１０の外部から操作可能に設けられている。加えて、制御部１４が筐体１０内に設けられている。
【００１８】
ここで、表示手段１１は、コレステリック液晶表示パネルに代表される記憶性を有する表示パネルである。例えば、コレステリック液晶の他、各種の双安定性液晶や、電気泳動等、微粒子の動きを利用したものなどを用いることができる。このような表示体は、微小な厚みの中での光学効果を利用しているなど、撓みに伴う圧力によって表示が影響されるものが多い。通常、非記憶性の液晶表示体などでは、交流の駆動波形などにより表示内容に拘わらず、絶えず動的駆動が行われているが、このような記憶性表示体の場合には、駆動上の工夫を必要とするものである。
【００１９】
また筐体１０は、可撓性を有する材料から形成される。可撓性を有する材料としては、例えば、ゴムや合成樹脂を用いることができる。あるいは、複数の非可撓性部材を可動部材で以ってつなぎ合わせ、擬似的に可撓性を持たせた材料を用いることができる。
【００２０】
さらに撓み検出手段１２は、撓み量を検出できるセンサであり、例えば、金属片の変形により電気抵抗値が変化することを利用したセンサなどを用いることができる。あるいは、光ファイバ内を通過する光の散乱状態が、撓ませることによって変化することを利用したセンサなどを用いることができる。
【００２１】
また電源スイッチ１３は、情報表示装置１に電源を投入するための素子である。例えば、プッシュボタン、シーソースイッチ、レバースイッチ、スライドスイッチ、タッチセンサ等を用いることができる。
【００２２】
図２は、本実施形態における制御部１４のブロック図である。
【００２３】
制御部１４は、ＣＰＵ２０を中心に構成され、ＣＰＵ２０には、撓み検出手段２１から得られる撓み量を数値化する撓みセンサコントローラ２２と、電源２３から得られる電圧を監視する電源コントローラ２４と、ＶＲＡＭ２５に記録されている画像情報を表示手段２６に対し表示を行うディスプレイコントローラ２７と、メモリ２８とが接続されている。さらに、ＣＰＵ２０とＶＲＡＭ２５とが接続される構成となっている。
【００２４】
以上のような構成により、本実施形態に係る情報表示装置１は以下のように動作する。
【００２５】
図３は、情報表示装置１の制御手順を表したフローチャート図である。
【００２６】
電源が投入されると、まずステップＳ３０で初期化が行われる。続いてステップＳ３１でリフレッシュフラグに“０”が代入される。その後、ステップＳ３２で測定された撓み量が所定値と比較される。ステップＳ３２で撓み量が所定値以上であると判断された場合、ステップＳ３３でリフレッシュフラグに“１”が代入され、電源の状態を調べるステップＳ３７に制御が移動する。一方、ステップＳ３２で撓み量が所定値未満であると判断された場合、ステップＳ３４でリフレッシュフラグの値が“１”と比較される。ステップＳ３４でリフレッシュフラグの値が“１”であった場合、まだ再描画されていない状態であるので、ステップＳ３５によって画面が再描画される。続いてステップＳ３６で、リフレッシュフラグに“０”が代入され、その後、電源の状態を調べるステップＳ３７に制御が移動する。一方、ステップＳ３４でリフレッシュフラグの値が“１”でなかった場合、電源の状態を調べるステップＳ３７に制御が移動する。ステップＳ３７では、電源がオンであるか否かが判定される。電源がオンである場合、制御はステップＳ３２に戻る。一方、電源がオンでなかった場合、前記ステップＳ３８でシャットダウン処理が実行され、終了する。
【００２７】
以上の制御によって、情報表示装置１が撓められた際に、表示手段１１に表示された内容に乱れが生じた場合でも、撓みが解消された際に画面の再描画が行われるため、使用者は常に最良の表示結果を得ることができる。
【００２８】
次に、第２の実施形態について説明する。
【００２９】
図４は、本発明第２の実施形態に係る情報表示装置２を示す外観（Ａ）及び断面（Ｂ）の模式図であり、情報表示装置２は、可撓性を有する筐体４０で外装されると共に、外部から視認可能な表示手段４１を筐体４０内に備えており、表示手段４１は筐体４０と同程度の可撓性を有している。また筐体４０の内側には、表示手段４１の撓みを検出する撓み検出手段４２、及び筐体４０の撓みを検出する撓み検出手段４３が装着されている。加えて、制御部４４が筐体４０内に設けられている。
【００３０】
制御部４４は、第１の実施形態における制御部１４と同じである。
【００３１】
図５は、表示手段４１と撓み検出手段４２ａないし４２ｄ、及び撓み検出手段４３ａないし４３ｄとの位置関係を示している。
【００３２】
表示手段４１は仮想的に領域５Ａ、領域５Ｂ、領域５Ｃ、領域５Ｄの４領域に分割され、撓み検出手段４２ａ及び４３ａは表示手段４１の領域５Ａに対応する位置に配置されている。同様に撓み検出手段４２ｂ及び４３ｂは表示手段４１の領域５Ｂに対応する位置に配置され、撓み検出手段４２ｃ及び４３ｃは表示手段４１の領域５Ｃに対応する位置に配置され、撓み検出手段４２ｄ及び４３ｄは表示手段４１の領域５Ｄに対応する位置に配置されている。
【００３３】
以上のような構成により、本実施形態に係る情報表示装置２は以下のように動作する。
【００３４】
図６は、情報表示装置２の割り込み処理手順を表したフローチャートである。
【００３５】
割り込みが検出されると、まず、ステップＳ６００で割り込み前の状態が保存される。例えば、ＣＰＵが備えるレジスタの値や、実行中のプログラムのアドレスなどが保存される。
【００３６】
次に、ステップＳ６０１で割り込みの種類が電源供給停止割り込みであるか否かが判定される。電源供給停止割り込みであれば、ステップＳ６０２でシャットダウン処理を行い、稼動を停止させる。
【００３７】
ステップＳ６０１で割り込みの種類が電源供給停止割り込みでなければ、ステップＳ６０３で割り込みの種類が画面再描画割り込みであるか否かが判定される。画面再描画割り込みでなければ、ステップＳ６１１で、その他の割り込みとして処理され、割り込み前の状態を復元するステップＳ６１２に制御が移動する。
【００３８】
一方、ステップＳ６０３で割り込みの種類が画面再描画割り込みであれば、ステップＳ６０４ないしＳ６０６で、再描画する領域が決定される。続いてステップＳ６０７ないしＳ６１０で、対応する領域が再描画され、割り込み前の状態を復元するステップＳ６１２に制御が移動する。
【００３９】
最後に、ステップＳ６００で保存された状態がステップＳ６１２で復元され、割り込みが実行される前の状態に戻る。
【００４０】
以上の手順に従い、割り込み処理は完了する。
【００４１】
図７（Ａ）は、情報表示装置２の撓みセンサコントローラ２２の割り込み生成手順を表したフローチャートである。
【００４２】
コントローラが稼動を始めると、まず、ステップＳ７００で初期化が行われる。
【００４３】
続いてステップＳ７０１ないしＳ７０４で、リフレッシュフラグＡ、リフレッシュフラグＢ、リフレッシュフラグＣ、リフレッシュフラグＤに“０”が代入される。
【００４４】
その後、ステップＳ７０５ないしＳ７０８で、それぞれの領域についてチェックが行われ、場合によって領域再描画割り込みが発行される。
【００４５】
最後に、ステップＳ７０９で、一定時間待機する、あるいは外部からの信号を受けたときに待機状態から脱出するなどの方法で待機した後、ステップＳ７０５に制御が戻る。
【００４６】
図７（Ｂ）は、撓みセンサコントローラの割り込み生成手順における、領域Ｘのチェック手順Ｓ７０５ないしＳ７０８を表したフローチャートである。ただし、Ｘは、領域Ａのチェック手順Ｓ７０５においてはＡ、領域Ｂのチェック手順Ｓ７０６においてはＢ、領域Ｃのチェック手順Ｓ７０７においてはＣ、領域Ｄのチェック手順Ｓ７０８においてはＤである。
【００４７】
領域Ｘのチェックが開始されると、まず、ステップＳ７１０で測定された領域Ｘの撓み量が所定値と比較される。
【００４８】
ステップＳ７１０で撓み量が所定値以上であると判断された場合、ステップＳ７１１でリフレッシュフラグＸに“１”が代入され、領域Ｘのチェックは終了する。
【００４９】
一方、ステップＳ７１０で撓み量が所定値未満であると判断された場合、ステップＳ７１２でリフレッシュフラグＸの値が“１”と比較される。ステップＳ７１２でリフレッシュフラグＸの値が“１”であった場合、まだ再描画されていない状態であるので、ステップＳ７１３によって領域Ｘ再描画割り込みが発行される。続いてステップＳ７１４で、リフレッシュフラグＸに“０”が代入され、領域Ｘのチェックは終了する。
【００５０】
一方、ステップＳ７１２でリフレッシュフラグＸの値が“１”でなかった場合、領域Ｘのチェックは終了する。
【００５１】
図８は、情報表示装置２の電源コントローラ２４の割り込み生成手順を表したフローチャートである。
【００５２】
コントローラが稼動を始めると、まず、ステップＳ８０で初期化が行われる。
【００５３】
続いてステップＳ８１で、電圧値が所定値と比較される。ステップＳ８１で電圧値が所定値未満であれば、電源供給が停止したとみなし、ステップＳ８２で電源供給停止割り込みを発行し、ステップＳ８３で待機する。
【００５４】
一方、ステップＳ８１で電圧値が所定値以上であれば、ステップＳ８３に制御が移動し、待機する。
【００５５】
以上の制御によって、情報表示装置２が撓められ、画面の再描画が必要になった場合、領域ごとに再描画の要不要を決定できるため、再描画に要する電力などを削減することができる。
【００５６】
次に、第３の実施形態について説明する。
【００５７】
図９は、本発明第３の実施形態に係る情報表示装置３を示す外観の模式図であり、情報表示装置３は、可撓性を有する筐体９０で外装されると共に、外部から視認可能な表示手段９１を筐体９０内に備えており、表示手段９１は筐体９０と同程度の可撓性を有している。また筐体９０の内側には、表示手段９１の撓みを検出する撓み検出手段９２が複数個装着されている。さらに、電源スイッチ９３が筐体９０の外部から操作可能に設けられている。加えて、不図示の制御部が筐体９０内に設けられている。
【００５８】
図１０は、表示手段９１と撓み検出手段９２ａないし９２ｔとの位置関係を示している。
【００５９】
表示手段９１は仮想的に領域１０Ａ、領域１０Ｂ、領域１０Ｃ、領域１０Ｄ、領域１０Ｅ、領域１０Ｆ、領域１０Ｇ、領域１０Ｈ、領域１０Ｉの９領域に分割され、撓み検出手段９２ａ及び９２ｊは表示手段９１の領域１０Ａに対応する位置に配置されている。同様に撓み検出手段９２ｂ及び９２ｋは表示手段９１の領域１０Ｂに対応する位置に配置され、撓み検出手段９２ｃ及び９２ｌは表示手段９１の領域１０Ｃに対応する位置に配置され、撓み検出手段９２ｄ及び９２ｍは表示手段９１の領域１０Ｄに対応する位置に配置され、撓み検出手段９２ｅ及び９２ｎは表示手段９１の領域１０Ｅに対応する位置に配置され、撓み検出手段９２ｆ及び９２ｏは表示手段９１の領域１０Ｆに対応する位置に配置され、撓み検出手段９２ｇ及び９２ｐは表示手段９１の領域１０Ｇに対応する位置に配置され、撓み検出手段９２ｈ及び９２ｑは表示手段９１の領域１０Ｈに対応する位置に配置され、撓み検出手段９２ｉ及び９２ｒは表示手段９１の領域１０Ｉに対応する位置に配置されている。また、撓み検出手段９２ｓ及び９２ｔは表示手段９１の全ての領域に対応する位置に配置されている。
【００６０】
以上のような構成により、本実施形態に係る情報表示装置３は、第２の実施形態における動作と同様に動作する。
【００６１】
この構成によって、ディスプレイコントローラ２７がライン駆動方式であった場合、再描画時の起動ライン本数を最小限まで削減できるため、再描画に要する時間及び電力を削減することができる。
【００６２】
なお、本発明に係る実施形態は、前記第１ないし３の実施形態に限定されず、その要旨の範囲内において、自由に変更することができる。
【００６３】
また、上記実施形態において、一定量以上の撓みが解消された時に必ず再描画しているが、撓みによる使用者からの操作を可能にしている情報処理装置である場合は、その操作によって画面が書き替えられる場合、再描画を行わない構成にすることができる。例えば、その操作がページ切り替えである場合や、拡大縮小操作である場合は、再描画を行わず、ボリュームの変更である場合や、ファイルの保存である場合は、再描画を行うという構成にすることができる。
【図面の簡単な説明】
【００６４】
【図１】第１の実施形態に係る情報表示装置の説明図である。
【図２】第１の実施形態に係る情報表示装置の制御部のブロック図である。
【図３】第１の実施形態に係る情報表示装置の制御手順を表すフローチャートである。
【図４】第２の実施形態に係る情報表示装置の説明図である。
【図５】第２の実施形態に係る情報表示装置の撓み検出手段の位置関係を示す配置図である。
【図６】第２の実施形態に係る情報表示装置の割り込み処理手順を表すフローチャートである。
【図７】第２の実施形態に係る情報表示装置の撓みセンサコントローラの割り込み生成手順を表すフローチャート図である。
【図８】第２の実施形態に係る情報表示装置の電源コントローラの割り込み生成手順を表すフローチャート図である。
【図９】第３の実施形態に係る情報表示装置の外観斜視図である。
【図１０】第３の実施形態に係る情報表示装置の撓み検出手段の位置関係を示す配置図である。
【符号の説明】
【００６５】
１〜３  情報表示装置、１０  筐体、１１  表示手段、１２  撓み検出手段、１３  電源スイッチ、１４  制御部、２０  ＣＰＵ、２１  撓み検出手段、２２  撓みセンサコントローラ、２６  表示手段、２７  ディスプレイコントローラ、４０  筐体、４１  表示手段、４２〜４３  撓み検出手段、４４  制御部、９０  筐体、９１  表示手段、９２  撓み検出手段、９３  電源スイッチ。
【図１】
2005284061.tif 000003
【図２】
2005284061.tif 000004
【図３】
2005284061.tif 000005
【図４】
2005284061.tif 000006
【図５】
2005284061.tif 000007
【図６】
2005284061.tif 000008
【図７】
2005284061.tif 000009
【図８】
2005284061.tif 000010
【図９】
2005284061.tif 000011
【図１０】
2005284061.tif 000012